【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
被写体の断層画像を取得する画像取得手段と、
前記断層画像から前記被写体の一部である所定の層を検出する層検出手段と、
前記断層画像と前記所定の層の正常時データとを用いて、前記断層画像における前記所定の層の正常構造を推定する推定手段と、
を有することを特徴とする画像処理装置。
【請求項２】
前記推定手段は、前記断層画像と前記所定の層の正常時データとを対応させる処理を行って、前記断層画像における前記所定の層の正常構造を推定することを特徴とする請求項１に記載の画像処理装置。
【請求項３】
前記推定手段は、前記断層画像の座標系と前記所定の層の正常時データの座標系とを一致させる処理を行って、前記断層画像における前記所定の層の正常構造を推定することを特徴とする請求項１または２に記載の画像処理装置。
【請求項４】
前記所定の層の正常時データを取得する被写体情報取得手段を更に有し、
前記推定手段は、前記断層画像と前記取得された正常時データとを用いて、前記所定の層の正常構造を推定することを特徴とする請求項１乃至３のいずれか１項に記載の画像処理装置。
【請求項５】
前記層検出手段で検出された前記所定の層の状態が正常であるか否かを判定する状態判定手段を更に有し、
前記推定手段は、前記状態判定手段において前記所定の層の状態が正常でないと判定された場合に、当該所定の層の正常構造を推定することを特徴とする請求項１乃至４のいずれか１項に記載の画像処理装置。
【請求項６】
前記状態判定手段において前記所定の層の状態が正常であると判定された場合に、前記被写体の正常時データとして前記層検出手段による前記所定の層の検出結果を出力する出力手段を更に有すること特徴とする請求項５に記載の画像処理装置。
【請求項７】
前記層検出手段による前記所定の層の検出結果を前記被写体の正常時データとして保存するか否かの指示を取得する指示取得手段を更に有し、
前記出力手段は、前記指示取得手段が前記保存する指示を取得した場合に、前記被写体の正常時データとして前記層検出手段による前記所定の層の検出結果を出力することを特徴とする請求項６に記載の画像処理装置。
【請求項８】
前記所定の層と前記推定された正常構造との差異を定量化する定量化手段と、
前記定量化手段により定量化した結果を示す表示形態を表示手段に表示させる表示制御手段と、
を更に有することを特徴とする請求項１乃至７のいずれか１項に記載の画像処理装置。
【請求項９】
前記定量化手段は、前記所定の層と前記推定された正常構造との厚みの分布、面積、体積、濃度のうちの少なくとも１つの値を前記差異として求めることを特徴とする請求項８に記載の画像処理装置。
【請求項１０】
前記表示制御手段は、前記定量化手段により定量化した結果を過去の定量化データと比較して前記表示手段に表示させることを特徴とする請求項８または９に記載の画像処理装置。
【請求項１１】
前記表示制御手段は、前記層検出手段で検出された前記所定の層と前記推定された当該所定の層の正常構造との差異を示す差異領域を前記断層画像上に重畳して前記表示手段に表示させることを特徴とする請求項８乃至１０のいずれか１項に記載の画像処理装置。
【請求項１２】
前記表示制御手段は、前記正常構造を示す表示形態を前記断層画像上に重畳して前記表示手段に表示させることを特徴とする請求項８乃至１１のいずれか１項に記載の画像処理装置。
【請求項１３】
被写体の断層画像を取得する画像取得手段と、
前記被写体の一部である所定の層の正常時データを取得する被写体情報取得手段と、
前記被写体情報取得手段で取得された前記所定の層の正常時データを利用して、前記断層画像から前記所定の層を検出する層検出手段と、
を有することを特徴とする画像処理装置。
【請求項１４】
前記被写体は、被検眼であることを特徴とする請求項１乃至１３のいずれか１項に記載の画像処理装置。
【請求項１５】
前記所定の層は、網膜色素上皮層、当該網膜色素上皮層とその下部の層との境界、当該網膜色素上皮層とその上部の層との境界のいずれかであることを特徴とする請求項１乃至１４のいずれか１項に記載の画像処理装置。
【請求項１６】
被写体の断層画像の処理を行う画像処理方法であって、
前記被写体の断層画像を取得する画像取得ステップと、
前記断層画像から前記被写体の一部である所定の層を検出する層検出ステップと、
前記断層画像と前記所定の層の正常時データとを用いて、前記断層画像における前記所定の層の正常構造を推定する推定ステップと、
を有することを特徴とする画像処理方法。
【請求項１７】
被写体の断層画像の処理を行う画像処理方法であって、
前記被写体の断層画像を取得する画像取得ステップと、
前記被写体の一部である所定の層の正常時データを取得する被写体情報取得ステップと、
前記被写体情報取得ステップで取得された前記所定の層の正常時データを利用して、前記断層画像から前記所定の層を検出する層検出ステップと、
を有することを特徴とする画像処理方法。
【請求項１８】
請求項１６または１７に記載の画像処理方法の各ステップをコンピュータに実行させるためのプログラム。
【手続補正２】
【補正対象書類名】明細書
【補正対象項目名】発明の名称
【補正方法】変更
【補正の内容】
【発明の名称】画像処理装置、画像処理方法及びプログラム
【手続補正３】
【補正対象書類名】明細書
【補正対象項目名】０００１
【補正方法】変更
【補正の内容】
【０００１】
本発明は、被写体の断層画像の処理を行う画像処理装置及び画像処理方法、並びに、画像処理方法をコンピュータに実行させるためのプログラムに関する。
【手続補正４】
【補正対象書類名】明細書
【補正対象項目名】００１８
【補正方法】変更
【補正の内容】
【００１８】
本発明の画像処理装置は、被写体の断層画像を取得する画像取得手段と、前記断層画像から前記被写体の一部である所定の層を検出する層検出手段と、前記断層画像と前記所定の層の正常時データとを用いて、前記断層画像における前記所定の層の正常構造を推定する推定手段と、を有する。
本発明の画像処理装置における他の態様は、被写体の断層画像を取得する画像取得手段と、前記被写体の一部である所定の層の正常時データを取得する被写体情報取得手段と、前記被写体情報取得手段で取得された前記所定の層の正常時データを利用して、前記断層画像から前記所定の層を検出する層検出手段と、を有する。
【手続補正５】
【補正対象書類名】明細書
【補正対象項目名】００１９
【補正方法】変更
【補正の内容】
【００１９】
本発明の画像処理方法は、被写体の断層画像の処理を行う画像処理方法であって、前記被写体の断層画像を取得する画像取得ステップと、前記断層画像から前記被写体の一部である所定の層を検出する層検出ステップと、前記断層画像と前記所定の層の正常時データとを用いて、前記断層画像における前記所定の層の正常構造を推定する推定ステップと、を有する。
本発明の画像処理方法における他の態様は、被写体の断層画像の処理を行う画像処理方法であって、前記被写体の断層画像を取得する画像取得ステップと、前記被写体の一部である所定の層の正常時データを取得する被写体情報取得ステップと、前記被写体情報取得ステップで取得された前記所定の層の正常時データを利用して、前記断層画像から前記所定の層を検出する層検出ステップと、を有する。
【手続補正６】
【補正対象書類名】明細書
【補正対象項目名】００２０
【補正方法】変更
【補正の内容】
【００２０】
本発明のプログラムは、前記画像処理方法の各ステップをコンピュータに実行させるためのものである。
【手続補正７】
【補正対象書類名】明細書
【補正対象項目名】００２１
【補正方法】削除
【補正の内容】
【手続補正８】
【補正対象書類名】明細書
【補正対象項目名】００８３
【補正方法】変更
【補正の内容】
【００８３】
＜ステップＳ２０３＞
続いて、ステップＳ２０３において、表示部２６０は、ステップＳ２０１における層境界の検出結果を断層画像に重畳してモニタ１１５に表示する処理を行う。ここで、図１０（ｂ）に示すように、層の境界を線で示す場合には、それぞれの境界に対して予め定めた色の線を用いることが望ましい。例えば、表示部２６０は、内境界膜１００３は赤色の線、神経線維層境界１００４は黄色の線、網膜色素上皮層境界１００５は緑色の線を用いて表示（提示）する。また、例えば、表示部２６０は、層境界を明示的に示さずに、層の領域に半透明の色をつけて表示（提示）してもよい。例えば、表示部２６０は、神経線維層１００２以外の網膜層全体を表す領域を緑色に、神経線維層１００２を表す領域を赤色に着色して表示（提示）してもよい。なお、これらの表示を行う際には、注目する断面をＧＵＩ等によって選択可能な構成であることが望ましい。また、公知のボリュームレンダリングの技術を用いて、３次元的に表示してもよい。